(57)【要約】      （修正有）【課題】録画番組の再生時に、ＣＭ放送前後の音量を漸次自動変化させて聴視者の不快感を解消する磁気記録再生装置を提供する。【解決手段】磁気テープにテレビジョン信号を記録中、判別手段３がステレオ信号を検出すると、音声多重信号がステレオ信号に切り換ったことを示す第１制御信号を磁気テープに連続して記録させ、ステレオ検出信号の入力が停止するとその時点で第２制御信号を記録させ、録画終了時点で前記磁気テープを巻戻し、第１制御信号が入力すると、その所定時間後に第３制御信号を記録する。磁気テープの再生時に、第３制御信号が入力したときは音声信号の出力を所定レベル低下させ、次いで、第１制御信号が入力したときは音声信号を低下したレベルに維持させ、続いて、第２制御信号が入力したときは音声信号を所定レベル上昇させ、さらに、その所定時間後に音声信号を元のレベルで出力させる制御を行う。【選択図】図１
2005197985.tif 000002
【特許請求の範囲】
【請求項１】
映像・音声信号を記録する磁気テープに制御信号を記録またはこの信号を検出するコントロールヘッドを備えた磁気記録再生装置において、
受信テレビジョン信号の音声多重信号のうち、ステレオ信号を判別する判別手段と、
音声出力信号のレベルを可変する音量調整手段と、
前記磁気テープに前記テレビジョン信号を記録中、前記判別手段からステレオ検出信号が入力すると、前記コントロールヘッドに対し前記音声多重信号がステレオ信号に切り換ったことを示す第１制御信号を前記磁気テープに連続して記録させ、
前記ステレオ検出信号の入力が停止するとその時点で第２制御信号を記録させ、
前記テレビジョン信号の記録が終了した時点で前記磁気テープの巻戻し動作を開始させ、前記コントロールヘッドから前記第１制御信号の検出信号が入力すると、その所定時間後に第３制御信号を記録させ、
この後、前記磁気テープの再生が開始されると、前記コントロールヘッドの検出信号をチェックし、前記第３制御信号が入力したときは前記音量調整手段に対し音声信号の出力を所定レベル低下させ、次いで、前記第１制御信号が入力したときは前記音声信号を低下したレベルに維持させ、続いて、前記第２制御信号が入力したときは前記音声信号を所定レベル上昇させ、さらに、その所定時間後に前記音声信号を元のレベルで出力させる制御を行う制御手段と、を備えてなる磁気記録再生装置。
【請求項２】
映像・音声信号を記録する磁気テープに制御信号を記録またはこの信号を検出するコントロールヘッドを備えた磁気記録再生装置において、
受信テレビジョン信号の音声多重信号のうち、ステレオ信号を判別する判別手段と、
音声出力信号のレベルを可変する音量調整手段と、
前記磁気テープの走行時間をカウントするカウンタと、
このカウンタのカウントデータを記録するメモリと、
前記磁気テープに前記テレビジョン信号を記録中、前記判別手段からステレオ検出信号が入力すると、前記コントロールヘッドに対し前記音声多重信号がステレオ信号に切り換ったことを示す第１制御信号を前記磁気テープに記録させるとともに、その時点のカウントデータを第１指令情報として前記メモリに記憶させ、
前記ステレオ検出信号の入力が停止すると、その時点のカウントデータを第２指令情報として記憶させ、
さらに、その所定時間後のカウントデータを第３指令情報として記憶させ、
前記テレビジョン信号の記録が終了した時点で前記磁気テープの巻戻し動作を開始させ、前記コントロールヘッドから前記第１制御信号の検出信号が入力すると、その所定時間後のカウントデータを第４指令情報として記憶させ、
この後、前記磁気テープの再生が開始されると、前記メモリの記録情報と前記カウンタからのカウントデータとを照合し、このカウントデータが前記メモリの第４指令情報の時間データに一致したときは前記音量調整手段に対し音声信号の出力を所定レベル低下させ、次いで、前記第１指令情報の時間データに一致したときは前記音声信号を低下したレベルに維持させ、続いて、前記第２指令情報の時間データに一致したときは前記音声信号を所定レベル上昇させ、さらに、前記第３指令情報の時間データに一致したときは前記音声信号を元のレベルで出力させる制御を行う制御手段と、を備えてなる磁気記録再生装置。
【請求項３】
前記制御手段が、前記テレビジョン信号の記録時に、前記音量調整手段から出力される前記ステレオ信号とそれ以外の音声信号の出力レベルをメモリに記憶しておき、再生時には前記メモリに記憶したレベルでそれぞれの音声信号を出力させることを特徴とする請求項１または２に記載の磁気記録再生装置。
【発明の詳細な説明】
【技術分野】
【０００１】
本発明は、テレビジョン番組の放送中にコマーシャル（以下、ＣＭと略す）放送に入ると、その出力音声を自動変化させ得るビデオテープレコーダ等の磁気記録再生装置に関する。
【背景技術】
【０００２】
テレビジョン放送には、モノラル、ステレオ、音声多重といった音声種別があり、ＣＭ放送はステレオに対応している。
【０００３】
このＣＭ放送は、通常番組の音声の音量に比して高くなるため、ＣＭ放送が混在している放送番組を録画して再生すると、急に音量が大きくなって聴視者が不快感を抱く問題があった。
【０００４】
このため、聴視者がボリュームを調整してＣＭ放送時に音量を下げ、通常番組に戻れば上げる、といった操作を繰り返さなければならず、甚だ面倒なものであった。
そこで、この煩瑣な問題を解消することを目的としたビデオテープレコーダが提案されている（例えば、特許文献１参照）。
このものは、音声入力に対して音声出力の音量を可変する音量可変手段と、入力される音声信号がステレオ信号であることを検出する検出手段と、この検出手段でステレオ信号を検出した場合に音量可変手段に対し入力される音声の音量を可変するよう制御する制御手段とを備えて構成されている。
これにより、通常番組の放送からＣＭ放送に変わって音声レベルが大きくなり、聴視者が調整操作して音量を下げねばならないといった煩瑣な問題が解消されるというものである。
【特許文献１】特開２００２−１１２１７３号公報
【発明の開示】
【発明が解決しようとする課題】
【０００５】
ところで、上記特許文献１のビデオテープレコーダは、聴視者が煩瑣な音量調整操作を行う必要はなくなるが、ＣＭ放送の何秒か前に音量を下げておき、ＣＭ放送の何秒か後に音量を上げるといったきめ細かな調整ができるようにはなっていない。
このため、音量が自動調整されるときは、急に音量が下がってまた上がるという聴感覚となり、違和感が残る問題があった。
【０００６】
そこで、本発明は、上記の問題に鑑みてなされたものであり、録画番組の再生時にＣＭ放送が混在しているときは、その前後に音量を漸次自動変化させて聴視者に不快感を与える問題を解消することができる磁気記録再生装置を提供することを目的としている。
【課題を解決するための手段】
【０００７】
上記目的を達成するため、本発明による磁気記録再生装置は、映像・音声信号を記録する磁気テープに制御信号を記録またはこの信号を検出するコントロールヘッドを備えた磁気記録再生装置において、受信テレビジョン信号の音声多重信号のうち、ステレオ信号を判別する判別手段と、音声出力信号のレベルを可変する音量調整手段と、前記磁気テープに前記テレビジョン信号を記録中、前記判別手段からステレオ検出信号が入力すると、前記コントロールヘッドに対し前記音声多重信号がステレオ信号に切り換ったことを示す第１制御信号を前記磁気テープに連続して記録させ、前記ステレオ検出信号の入力が停止するとその時点で第２制御信号を記録させ、前記テレビジョン信号の記録が終了した時点で前記磁気テープの巻戻し動作を開始させ、前記コントロールヘッドから前記第１制御信号の検出信号が入力すると、その所定時間後に第３制御信号を記録させ、この後、前記磁気テープの再生が開始されると、前記コントロールヘッドの検出信号をチェックし、前記第３制御信号が入力したときは前記音量調整手段に対し音声信号の出力を所定レベル低下させ、次いで、前記第１制御信号が入力したときは前記音声信号を低下したレベルに維持させ、続いて、前記第２制御信号が入力したときは前記音声信号を所定レベル上昇させ、さらに、その所定時間後に前記音声信号を元のレベルで出力させる制御を行う制御手段と、を備えている。
【０００８】
また、上記目的を達成するための本発明による磁気記録再生装置は、映像・音声信号を記録する磁気テープに制御信号を記録またはこの信号を検出するコントロールヘッドを備えた磁気記録再生装置において、受信テレビジョン信号の音声多重信号のうち、ステレオ信号を判別する判別手段と、音声出力信号のレベルを可変する音量調整手段と、前記磁気テープの走行時間をカウントするカウンタと、このカウンタのカウントデータを記録するメモリと、前記磁気テープに前記テレビジョン信号を記録中、前記判別手段からステレオ検出信号が入力すると、前記コントロールヘッドに対し前記音声多重信号がステレオ信号に切り換ったことを示す第１制御信号を前記磁気テープに記録させるとともに、その時点のカウントデータを第１指令情報として前記メモリに記憶させ、前記ステレオ検出信号の入力が停止すると、その時点のカウントデータを第２指令情報として記憶させ、さらに、その所定時間後のカウントデータを第３指令情報として記憶させ、前記テレビジョン信号の記録が終了した時点で前記磁気テープの巻戻し動作を開始させ、前記コントロールヘッドから前記第１制御信号の検出信号が入力すると、その所定時間後のカウントデータを第４指令情報として記憶させ、この後、前記磁気テープの再生が開始されると、前記メモリの記録情報と前記カウンタからのカウントデータとを照合し、このカウントデータが前記メモリの第４指令情報の時間データに一致したときは前記音量調整手段に対し音声信号の出力を所定レベル低下させ、次いで、前記第１指令情報の時間データに一致したときは前記音声信号を低下したレベルに維持させ、続いて、前記第２指令情報の時間データに一致したときは前記音声信号を所定レベル上昇させ、さらに、前記第３指令情報の時間データに一致したときは前記音声信号を元のレベルで出力させる制御を行う制御手段と、を備えている。
前記制御手段が、前記テレビジョン信号の記録時に、前記音量調整手段から出力される前記ステレオ信号とそれ以外の音声信号の出力レベルをメモリに記憶しておき、再生時には前記メモリに記憶したレベルでそれぞれの音声信号を出力させる。
【発明の効果】
【０００９】
以上説明したように、本発明によれば、磁気テープの再生が開始されると、コントロールヘッドの検出信号をチェックし、第３制御信号が入力したときは音量調整手段に対し音声信号の出力を所定レベル低下させ、次いで、第１制御信号が入力したときは音声信号を低下したレベルに維持させ、続いて、第２制御信号が入力したときは音声信号を所定レベル上昇させ、さらに、その所定時間後に音声信号を元のレベルで出力させるため、ＣＭであるステレオ放送のときは、その前後に音量が漸次自動変化することから、聴視者に不快感を与える問題を解消することができる効果がある。
【００１０】
また、本発明によれば、磁気テープの再生が開始されると、メモリの記録情報とカウンタからのカウントデータとを照合し、このカウントデータがメモリの第４指令情報の時間データに一致したときは音量調整手段に対し音声信号の出力を所定レベル低下させ、次いで、第１指令情報の時間データに一致したときは音声信号を低下したレベルに維持させ、続いて、第２指令情報の時間データに一致したときは音声信号を所定レベル上昇させ、さらに、第３指令情報の時間データに一致したときは音声信号を元のレベルで出力させるため、ＣＭであるステレオ放送のときは、その前後に音量が漸次自動変化することから、聴視者に不快感を与える問題を解消することができる効果がある。
【００１１】
また、制御手段が、テレビジョン信号の記録時に、音量調整手段から出力されるステレオ信号とそれ以外の音声信号の出力レベルをメモリに記憶しておき、再生時にはメモリに記憶したレベルでそれぞれの音声信号を出力させるので、聴視者は煩瑣な音量調整操作をする必要がなく日常的に設定するレベルの音量で聴取できる利点がある。
【発明を実施するための最良の形態】
【００１２】
以下、本発明の磁気記録再生装置の実施形態について、図面を参照しながら詳述する。
図１は、本発明の一実施形態である磁気記録再生装置の電気的構成を示すブロック線図である。
この磁気記録再生装置は、テレビジョン受像機とビデオテープレコーダとを一体化した普及型のテレビ一体型ＶＴＲに適用されたものである。
図１において、１はアンテナに接続されたチューナ部であり、放送電波の受信信号が導入される。
このチューナ部１の出力は、Ｙ／Ｃ／Ａ分離回路２に接続される一方、制御部１５の信号が導かれており、この制御部１５からの選局信号に基づいて特定の放送局を選局し、そのチャンネルの信号をＹ／Ｃ／Ａ分離回路２に送出する。
このＹ／Ｃ／Ａ分離回路２には、映像信号処理部（図示省略）と音声多重信号処理部３とが接続されており、入力信号を分離して映像信号をクロマＩＣからなる映像信号処理部に、音声信号を音声多重信号処理部３にそれぞれ出力するようになっている。
映像信号処理部は、映像信号中の映像情報を取り出して画像処理回路側に送出する。この画像処理回路は、出力がＣＲＴに接続されており、制御部１５の制御に従ってＣＲＴに画像情報を出力する。
なお、図示省略しているが、ＯＳＤ回路（ON SCREEN DISPLAY）を有しており、画像処理回路の出力側にある合成部に接続されていて、制御部１５の指令に基づき、予めメモリ１４に記憶された表示用データ等を信号化して合成部に出力する。
音声多重信号処理部３は、制御部１５に接続されるとともに、出力がＨＩＦＩ回路４に接続されている。
【００１３】
この音声多重信号処理部３は、モノラル、ステレオ、音声多重信号である二カ国語の各放送音声を処理するＩＣからなり、音声切換検出機能を有している。
すなわち、この音声多重信号処理部３は、Ｙ／Ｃ／Ａ分離回路２より音声信号が入力すると、モノラルまたは二カ国語からステレオへの音声切換りと、ステレオからモノラルもしくは二カ国語への切換りを判別する。
そして、入力音声信号がステレオに切換ると、ステレオ検出信号を出力し、このステレオから他の音声信号に切換ると、ステレオ停止信号を制御部１５に出力する構成になっている。
通常、ＣＭはステレオで放送されるため、例えば、番組で外国語の映画が放送されているときに、ＣＭ放送が始まるとステレオ検出信号が出力され、ＣＭ放送が終わるとステレオ停止信号が出力される。
前記ＨＩＦＩ回路４は、出力が音量調整部５を介してスピーカ６に接続されるとともに、録画再生処理部７に接続されている。
音量調整部５は、音声信号のレベルを調整するボリュームコントローラであり、制御部１５の指令信号が導かれている。
この音量調整部５は、制御部１５から音声出力信号のレベル可変指令が送出されてくると、音声出力信号を予め設定したステップでアップまたはダウンさせることによりスピーカ６側に出力する。
７は録画再生処理部であり、出力が録再ヘッド８に接続されている。また、この録画再生処理部７は、制御部１５と双方向性に接続されるとともに、メカ制御回路１２とも接続されている。
この録画再生処理部７は、制御部１５の指令に従って録再ヘッド８に映像・音声信号を送出し、図２に示すビデオテープＶの記録エリヤＶ１に記録させる。
また、この録再ヘッド８が記録エリヤＶ１から読み取った再生映像信号を画像処理回路に、再生音声信号を音量調整部５側に送出する。
９はエンコーダであり、制御部１５とＣＴＬ信号記録・再生用ヘッド（ＣＴＬ用録再ヘッド）１１に接続されている。
このエンコーダ９は、制御部１５から第１または第２制御信号が送出されてきたとき、ビデオテープＶのＣＴＬ信号記録エリヤ（ＣＴＬエリヤ）Ｖ２に書き込み可能な信号形態として、例えば、ＶＩＳＳに変換し、ＣＴＬ用録再ヘッド１１に送出する。
【００１４】
１０はデコーダであり、制御部１５とＣＴＬ用録再ヘッド１１とに接続されている。
【００１５】
このデコーダ１０は、ＣＴＬ用録再ヘッド１１がビデオテープＶのＣＴＬエリヤＶ２から読み取った再生信号を解読して、前記第１または第２制御信号を制御部１５側に送出する。
【００１６】
１２はメカ制御回路であり、図示省略したサーボ回路およびテープ走行機構等に接続されるとともに、制御部１５の制御信号が導かれている。
このメカ制御回路１２は、制御部１５の制御に基づいて、サーボ回路やテープ走行機構等を含む記録系および再生系の動作を制御し、録画や再生処理を行う構成になっている。
なお、このテレビ一体型ＶＴＲは、リモコン送信機を備えており、ユーザーの入力操作に応じた機能が動作するようになっている。
【００１７】
このリモコンは、操作面にパワーキーやメニューキーを配列し、キー入力部にテンキーの他、ＰＬＡＹ、ＦＦ、ＲＥＷ、ＳＴＯＰおよびＲＥＣキー等を設けている。
【００１８】
本例では、メニューキーの操作によりＣＲＴ７の画面にメニュー項目を表示させ、キー入力部の各キーを使用して通常の予約設定を行うとともに、ＣＭ放送時の自動音量調整設定等を行うようになっている。
【００１９】
１３はカウンタであり、図示省略しているがテープ走行センサの出力が導かれており、制御部１５と接続されている。このカウンタ１３は、ビデオテープＶの走行開始に伴って、走行量をカウントしそのカウントデータ（本例では、時間データ）を制御部１５に送出する。
【００２０】
１５はマイコンからなる制御部であり、メモリ１４やタイマを備えていて、前記回路各部とその機能に応じて一方向または双方向性に接続されている。このメモリ１４は、カウントデータの記憶にも用いられる。
この制御部１５は、リモコンからの指令信号に基づいてＶＴＲ全体の動作を制御し、ビデオテープＶに映像・音声信号を記録させ、あるいは記録された信号を再生する動作制御を行う。
【００２１】
また、メニューの設定内容に基づいて、メモリ１４に予め記憶された制御プログラムを読み出して実行する。
さらに、予約プログラムに従い、設定時間になると受信放送番組の録画を開始する。
【００２２】
特に、この録画時は、ＣＭ放送の音量調整を行うため、制御信号をエンコーダ９側に送出してビデオテープＶにＶＩＳＳ1)〜3)を記録させるモード（１）、カウンタ１３からのカウントデータを指令情報Ａ〜Ｄとしてメモリ１４に記憶させるモード（２）の何れかを実行する。
そして、ビデオテープＶの録画を再生するときは、前記制御信号またはメモリ１４の記録情報に基づいて音量調整部５に指令信号を送出し、音声出力のレベルを可変させる制御を行う構成になっている。
次に、上記ＶＴＲの音量調整動作について、図２のタイミングチャートを参照しつつ説明する。  
（１）ビデオテープに制御信号を記録して再生するモード。
ユーザーが、例えば、午後９時から始まる１時間の映画番組を録画したい場合、予めその番組のチャンネル、開始、終了時刻等の予約操作を行い、予約プログラムを設定する。
そして、午後９時になると、制御部１５は予約プログラムを実行し、記録系を動作させる。これにより、ビデオテープＶの走行が開始され、図２に示すビデオテープＶの記録エリヤＶ１に映像・音声信号の記録が開始される。
この際、映画番組の本編放送は、二カ国語であるが、通常、民放では本編の番組放送が始まる前にＣＭ放送が開始される。
受信チャンネルの音声信号が、音声多重信号処理部３に入力すると、ＣＭ放送であるステレオ放送のときは、図２（１）のように、音声レベルが“Ｈ”で示される高さで入力する。
音声多重信号処理部３は、このステレオを検出した時点でステレオ検出信号を出力する。
制御部１５は、録画開始時にこのステレオ検出信号を受けると、第１制御信号をエンコーダ９側に連続して送出する。このエンコーダ９は、第１制御信号を受けるとＶＩＳＳ1)に変換し、ビデオテープＶのＣＴＬエリヤＶ２に書き込み続ける。
これにより、ＣＴＬエリヤＶ２には、９時を少し過ぎた時点でＣＭ放送を示すＶＩＳＳ1)が記録される。
そして、９時３分にＣＭ放送が終了すると、音声レベルが“Ｌ”で示される高さとなり、音声多重信号処理部３からステレオ停止信号が送出されてくるため、制御部１５は第２制御信号をエンコーダ９側に送出する。
このエンコーダ９は、第２制御信号を受けるとＶＩＳＳ2)に変換し、９時３分の時点でビデオテープＶのＣＴＬエリヤＶ２に書き込む。
この後、本編放送に入り二カ国語放送の音声信号が入力すると、制御部１５は、現在値の音声データをメモリ１４に記憶しておく。
そして、この本編の再生が２７分間続いて９時３０分になったとき、再びＣＭ放送が始まると、音声レベルが“Ｈ”の高さとなる。
制御部１５は、音声多重信号処理部３からステレオ検出信号を受けた時点で、第１制御信号をエンコーダ９側に送出する。
これにより、ＣＴＬエリヤＶ２には、９時３０分の時点でＶＩＳＳ1)が記録される。
そして、９時３３分にＣＭ放送が終了すると、再び音声レベルが“Ｌ”で示される高さとなり、ステレオ停止信号が送出されてくるため、制御部１５は第２制御信号を送出し、９時３３分の時点でビデオテープＶのＣＴＬエリヤＶ２にＶＩＳＳ2)を書き込ませる。
この本編放送が２７分経過して午後１０時００分になると、１時間の予約プログラムが終了するので、録画動作を終了する。
なお、Ｇコード予約等により、１時間より少し長く予約設定されている場合は、１０時過ぎまで録画動作が継続することがある。
１０時００分の時点で再びＣＭが始まると、制御部１５は、ステレオ検出信号を受けた時点で、第１制御信号をエンコーダ９側に送出するため、ＣＴＬエリヤＶ２には、１０時００分の時点でＶＩＳＳ1)が記録される。
そして、ＣＭ放送の途中または本編放送に入った時点で録画終了時間になると、録画動作を終了する。
次に、制御部１５は、録画動作を終了した時点で巻戻し動作を開始させる。そして、ＣＴＬ用録再ヘッド１１がビデオテープＶのＣＴＬエリヤＶ２から第１制御信号を読み取った時点でエンコーダ９からのＶＩＳＳ1)が入力すると、制御部１５はその３秒後に第３制御信号をエンコーダ９側に送出する。
このエンコーダ９は、第３制御信号を受けるとＶＩＳＳ3)に変換し、１０時３秒前の時点でビデオテープＶのＣＴＬエリヤＶ２に書き込む。
さらに、ビデオテープＶの巻き戻しが続き、エンコーダ９からのＶＩＳＳ1)が入力すると、制御部１５はその３秒後に第３制御信号をエンコーダ９側に送出する。
このエンコーダ９は、第３制御信号を受けるとＶＩＳＳ3)に変換し、９時３０分の３秒前の時点でビデオテープＶのＣＴＬエリヤＶ２に書き込む。
そして、ビデオテープＶの始端まで巻き戻されると、巻き戻し動作が終了する。
この後、ユーザーが録画した映画を見たいとき、リモコンで再生操作を行うと、再生動作が開始される。
これに伴い、ビデオテープＶの走行が開始され、ビデオテープＶの記録エリヤＶ１から映像・音声信号が読み取られ、ＣＴＬエリヤＶ２からはＶＩＳＳ1)が読み取られる。
このＶＩＳＳ1)は、デコーダ１０で解読されることにより、第１制御信号に変換されて制御部１５に送出される。
この制御部１５は、ＣＭ時間帯であることを示す第１制御信号を連続して受けたとき、音量調整部５に対しステップダウンの指令信号を送出する。
よって、画面に映像が表示されるときには、図２（２）のように、音声レベルが“Ｌ”で示される高さに低下し、スピーカ６から放音されるＣＭの音量は低く維持される。
つぎに、ＣＴＬエリヤＶ２からＶＩＳＳ2)が読み取られると、その第２制御信号に基づいて、制御部１５は所定時間ｔ（本例では、３秒に設定）が経過してから音量調整部５に対しステップアップの指令信号を送出する。
この際、制御部１５は、再生動作中にメモリ１４のデータをチェックしているので、音量調整部５に対し二カ国の音声信号を元のレベルで出力させる。
よって、音声信号の出力レベルが“Ｈ”で示される高さに漸次上昇し、スピーカ６から放音される本編映画の二カ国語放送の音量は高くなる。
続いて、再生動作が継続しＣＴＬエリヤＶ２からＶＩＳＳ3)が読み取られると、その第３制御信号に基づいて、制御部１５は音量調整部５に対しステップダウンの指令信号を送出する。
よって、音声レベルが“Ｌ”で示される高さに漸次低下し、スピーカ６から放音されるＣＭ放送の音量は低く維持される。
また、ＣＴＬエリヤＶ２からＶＩＳＳ2)が読み取られると、その第２制御信号に基づいて、制御部１５は時間ｔ＝３秒が経過してから音量調整部５に対しステップアップの指令信号を送出する。
よって、音声レベルが“Ｈ”で示される高さに漸次上昇し、スピーカ６から放音される二カ国語放送の音量は高くなる。
そして、１時間が経過し予約プログラムの終了時間になると、制御部１５は再生動作を終了させる。
なお、１時間以上の予約プログラムが設定されていると、再生動作が継続する。この際は、ＣＴＬエリヤＶ２からＶＩＳＳ3)が読み取られると、その第３制御信号に基づいて、制御部１５は時間ｔ＝３秒が経過してから音量調整部５に対しステップダウンの指令信号を送出する。
よって、音声信号の出力レベルが漸次低下し、スピーカ６から放音されるＣＭ放送の音量は低く維持される。
この後、予約プログラムの終了時間になると、制御部１５は一連の再生動作を終了させる。
このように、映画番組にＣＭ放送が含まれていると、自動的に音量調整されるので、ユーザーは、再生の最初や途中のＣＭを低音量で聴取し、映画の再生中には予め設定したレベルの音量で聴ける。よって、違和感や不快感なく映画を聴視することができる。
（２）メモリにカウントデータを記憶して再生するモード。
このモードにおいても、上記と同じく午後９時から始まる１時間の映画番組を録画して再生する場合について説明する。
予約プログラムの設定された午後９時にビデオテープＶへの記録が開始され、受信チャンネルの音声信号が、音声多重信号処理部３に入力すると、ステレオを検出した時点でステレオ検出信号が出力される。
制御部１５は、録画開始時にこのステレオ検出信号を受けると、第１制御信号をエンコーダ９側に連続して送出する。このエンコーダ９は、第１制御信号を受けるとＶＩＳＳ1)に変換し、ビデオテープＶのＣＴＬエリヤＶ２に書き込み続ける。
これにより、ＣＴＬエリヤＶ２には、９時を少し過ぎた時点でＣＭ放送を示すＶＩＳＳ1)が記録される。
また、制御部１５は、ビデオテープＶの走行に伴って送出されてくるカウンタ１３からのカウントデータを受けると、第１指令情報としてメモリ１４に記憶させる。
このときは、ビデオテープＶの走行直後であるため、カウント値は“００”であり、第１指令情報（Ａ）が記憶される。
そして、９時３分にＣＭ放送が終了すると、音声多重信号処理部３からステレオ停止信号が送出されてくるため、制御部１５は第２制御信号をエンコーダ９側に送出する。
このエンコーダ９は、第２制御信号を受けるとＶＩＳＳ2)に変換し、９時３分の時点でビデオテープＶのＣＴＬエリヤＶ２に書き込む。
また、制御部１５は、カウンタ１３からのカウント値“０３”を示すカウントデータを受けて、第２指令情報（Ｂ）をメモリ１４に記憶させる。
さらに、制御部１５は、第２指令情報（Ｂ）を送出した後、３秒を経た時点のカウントデータを第３指令情報（Ｃ）としてメモリ１４に記憶させる。
この後、本編放送に入り、２７分が経過して９時３０分になったときに、再びＣＭが始まると、制御部１５は、ステレオ検出信号を受けた時点で、第１制御信号をエンコーダ９側に送出する。
よって、ＣＴＬエリヤＶ２には、９時３０分の時点でＶＩＳＳ1)が記録される。
また、制御部１５は、カウンタ１３からのカウントデータを受けて、第１指令情報（Ａ）をメモリ１４に記憶させる。
そして、ＣＭ放送が３分間続き、９時３３分に終了すると、ステレオ停止信号が送出されてくるため、制御部１５は第２制御信号をエンコーダ９側に送出し、９時３３分の時点でＶＩＳＳ2)をＣＴＬエリヤＶ２に書き込ませる。
また、カウンタ１３からのカウント値“３３”を示すカウントデータを受けて、第２指令情報（Ｂ）をメモリ１４に記憶させる。
さらに、制御部１５は、３秒を経た時点のカウントデータを第３指令情報（Ｃ）としてメモリ１４に記憶させる。
この後、本編放送に入り、２７分が経過して午後１０時００分になると、予約プログラムが終了するので、録画動作を終了する。
なお、１０時過ぎまで録画動作が継続することがあり、１０時００分の時点で再びＣＭが始まると、制御部１５は、ステレオ検出信号を受けた時点で、第１制御信号をエンコーダ９側に送出するため、ＣＴＬエリヤＶ２には、１０時００分の時点でＶＩＳＳ1)が記録される。
また、制御部１５は、カウンタ１３からのカウントデータを受けて、第１指令情報（Ａ）をメモリ１４に記憶させる。
そして、ＣＭ放送の途中または本編放送に入った時点で録画終了時間になると、録画動作を終了する。
次に、制御部１５は、録画動作を終了した時点で巻戻し動作を開始させる。そして、ＣＴＬ用録再ヘッド１１がビデオテープＶのＣＴＬエリヤＶ２から第１制御信号を読み取った時点でエンコーダ９からのＶＩＳＳ1)が入力すると、制御部１５はその３秒後に第３制御信号をエンコーダ９側に送出する。
このエンコーダ９は、第３制御信号を受けるとＶＩＳＳ3)に変換し、１０時３秒前の時点で第４指令情報（Ｄ）をメモリ１４に記憶させる。
さらに、ビデオテープＶの巻き戻しが続き、エンコーダ９からのＶＩＳＳ1)が入力すると、９時３０分の３秒前の時点で第４指令情報（Ｄ）をメモリ１４に記憶させる。
そして、ビデオテープＶの始端まで巻き戻されると、巻き戻し動作が終了する。
この後、ユーザーが録画した映画を見たいとき、リモコンで再生操作を行うと、再生動作が開始される。
これに伴い、制御部１５は、カウンタ１３からのカウントデータを受けて、メモリ１４に記憶されたデータと照合する。再生の開始時点では、カウント値が“００”であるから、第１指令情報（Ａ）と一致する。
すると、制御部１５は、音量調整部５に対しステップダウンの指令信号を送出する。
よって、画面に映像が表示されるときには、図２（２）のように、音声レベルが“Ｌ”で示される高さに低下し、スピーカ６から放音されるＣＭの音量は低くなる。
つぎに、入力するカウンタト値が“０３”を示すカウントデータであると、第２指令情報（Ｂ）に一致するので、制御部１５は所定時間ｔ（本例では、３秒に設定）が経過してから音量調整部５に対しステップアップの指令信号を送出する。
よって、音声信号の出力レベルが“Ｈ”で示される高さに漸次上昇し、スピーカ６から放音される本編映画の二カ国語放送の音量は高くなる。
また、制御部１５は、再生動作中にメモリ１４のデータをチェックしており、カウントデータが第３指令情報（Ｃ）を示すカウント値、即ち、再生時間が０３分になると、音量調整部５に対し音声信号を元のレベルで出力させる。
そして、本編の再生が進み、第４指令情報（Ｄ）の時間になると（即ち、カウント値が“３０”になる直前で、再生時間が３０分の３秒前の時点）、音量調整部５に対しステップダウンの指令信号を送出する。
音声レベルが“Ｌ”で示される高さに低下し、スピーカ６から放音されるＣＭの音量は低くなる。
この後、入力するカウンタト値が“３０”を示すカウントデータであると、第１指令情報（Ａ）に一致するので、制御部１５は音量調整部５に対しステップダウンの指令信号を送出する。よって、スピーカ６から放音されるＣＭの音量は低く維持される。
つぎに、入力するカウンタト値が“３３”を示すカウントデータであると、第２指令情報（Ｂ）に一致するので、制御部１５は所定時間ｔ＝３秒が経過してから音量調整部５に対しステップアップの指令信号を送出する。
よって、音声信号の出力レベルが“Ｈ”で示される高さに漸次上昇し、スピーカ６から放音される本編映画の二カ国語放送の音量は高くなる。
また、この再生動作中、メモリ１４のカウントデータが第３指令情報（Ｃ）を示すカウント値、即ち、３３分の再生時間になると、音量調整部５に対し音声信号を元のレベルで出力させる。
そして、本編の再生が進み、第４指令情報（Ｄ）の時間になると（即ち、カウント値が“６０”になる直前で、再生時間が６０分の３秒前の時点）、音量調整部５に対しステップダウンの指令信号を送出する。
よって、音声信号の出力レベルが低下し、スピーカ６から放音されるＣＭの音量は低くされる。
この時点では、予約プログラムに基づく再生時間が終了するので、一連の再生動作を終了する。
なお、上記実施の形態では、二カ国語放送の音声出力レベルをメモリ１４に記憶しておく場合について説明したが、ＣＭを示すステレオ放送の音声出力レベルをもメモリ１４に記憶しておき、再生時にこのメモリ１４の記憶データに基づいて、二カ国語およびＣＭ放送の再生音を放音させてもよい。
また、ＣＭ放送であるステレオの前後３秒の間は、音量を下げるように自動調整させたが、３秒以上でもよいし、その約半分を時間分割して段階的に変化させるようにしてもよい。
また、本発明は上記の各実施形態に限定されず、本発明の趣旨を逸脱しない範囲で、種々の変更が可能である。
【図面の簡単な説明】
【００２３】
【図１】本発明の一実施形態である磁気記録再生装置の電気的構成を示すブロック線図である。
【図２】磁気記録再生装置の動作を説明するためのタイミングチャートである。
【符号の説明】
【００２４】
３    判別手段
１１    コントロールヘッド
１５    制御手段
【図１】
2005197985.tif 000003
【図２】
2005197985.tif 000004